(57)【要約】【課題】一例として、筐体を構成する部品と表示装置とが支持部材を介して結合された、より不都合の少ない構成のテレビジョン受像機および電子機器を得る。【解決手段】実施形態にかかるテレビジョン受像機は、表示装置と、第一部材と、第二部材と、支持部材と、支持部と、を備えた。表示装置は、表示画面と、側面と、を有した。第一部材は、側面に面した第一壁部を有した。第二部材は、第一壁部に対して表示画面の反対側に位置されるとともに側面に面した第二壁部を有した。支持部材は、第一部材に取り付けられ、第一壁部の側面側に位置され、表示装置を表示画面の反対側で支持した。支持部は、第一部材の第二部材側の端部に設けられ第二壁部の側面側で表示画面の反対側に向けて延びた部分を有し、当該部分と第二壁部との間で支持部材を支持した。【選択図】図１２
2013046178.tif 000002
【特許請求の範囲】
【請求項１】
表示画面と、側面と、を有した表示装置と、
前記側面に面した第一壁部を有した第一部材と、
前記第一壁部に対して前記表示画面の反対側に位置されるとともに前記側面に面した第二壁部を有した第二部材と、
前記第一部材に取り付けられ、前記第一壁部の前記側面側に位置され、前記表示装置を前記表示画面の反対側で支持した支持部材と、
前記第一部材の前記第二部材側の端部に設けられ前記第二壁部の前記側面側で前記表示画面の反対側に向けて延びた部分を有し、当該部分と前記第二壁部との間で前記支持部材を支持した支持部と、
を備えた、テレビジョン受像機。
【請求項２】
前記第一部材の前記支持部より前記表示画面に近い側に当該支持部と離間して位置され前記支持部材と係わる第二支持部、を備えた、請求項１に記載のテレビジョン受像機。
【請求項３】
前記第一壁部の前記側面側に設けられ前記支持部と前記第二支持部との間に亘った亘部を備えた、請求項２に記載のテレビジョン受像機。
【請求項４】
上下方向に沿って延びた前記第一壁部に対して前記上下方向に沿って延びた前記側面側に位置された前記支持部材は、当該側面の長手方向に沿った方向の下側にスライドされて前記支持部に取り付けられた、請求項１〜３のうちいずれか一つに記載のテレビジョン受像機。
【請求項５】
前記表示画面の正面視で左右方向に沿って延びた前記第一壁部に対して前記左右方向に沿って延びた前記側面側に位置された複数の前記支持部材は、当該側面の長手方向に沿った方向の左側および右側のうち同じ側にスライドされて前記支持部に取り付けられた、請求項１〜４のうちいずれか一つに記載のテレビジョン受像機。
【請求項６】
前記支持部材は、前記側面の長手方向に沿った方向の一方側にスライドされて前記支持部に取り付けられ、
前記第一部材は、前記支持部材に係わって前記側面の長手方向に沿った方向の他方側にスライドするのを抑制する係部を有した、請求項１〜５のうちいずれか一つに記載のテレビジョン受像機。
【請求項７】
前記支持部材は、前記側面の長手方向に沿った方向の一方側にスライドされて前記支持部に取り付けられ、
前記第二部材は、前記支持部材に対して前記側面の長手方向に沿った方向の他方側で前記支持部材と係わる第二係部を有した、請求項１〜６のうちいずれか一つに記載のテレビジョン受像機。
【請求項８】
表示画面と、側面と、を有した表示装置と、
前記側面に面した第一壁部を有した第一部材と、
前記第一壁部に対して前記表示画面の反対側に位置されるとともに前記側面に面した第二壁部を有した第二部材と、
前記第一部材に取り付けられ、前記第一壁部の前記側面側に位置され、前記表示装置を前記表示画面の反対側で支持した支持部材と、
前記第一部材の前記第二部材側の端部に設けられ前記第二壁部の前記側面側で前記表示画面の反対側に向けて延びた部分を有し、当該部分と前記第二壁部との間で前記支持部材を支持した支持部と、
を備えた、電子機器。
【発明の詳細な説明】
【技術分野】
【０００１】
本発明の実施形態は、テレビジョン受像機および電子機器に関する。
【背景技術】
【０００２】
従来、筐体のフロントカバーと表示装置とが金具を介して固定されたテレビジョン受像機が知られている。
【先行技術文献】
【特許文献】
【０００３】
【特許文献１】特開２００９−５８９１５号公報
【発明の概要】
【発明が解決しようとする課題】
【０００４】
この種のテレビジョン受像機では、一例としては、金具が設けられた部分で筐体の剛性がより高い構成など、より不都合の少ない構成が望まれていた。
【０００５】
そこで、本発明の実施形態は、一例として、筐体を構成する部品と表示装置とが支持部材を介して結合された、より不都合の少ない構成のテレビジョン受像機および電子機器を得ることを目的の一つとする。
【課題を解決するための手段】
【０００６】
本発明の実施形態にかかるテレビジョン受像機は、表示装置と、第一部材と、第二部材と、支持部材と、支持部と、を備えた。表示装置は、表示画面と、側面と、を有した。第一部材は、側面に面した第一壁部を有した。第二部材は、第一壁部に対して表示画面の反対側に位置されるとともに側面に面した第二壁部を有した。支持部材は、第一部材に取り付けられ、第一壁部の側面側に位置され、表示装置を表示画面の反対側で支持した。支持部は、第一部材の第二部材側の端部に設けられ第二壁部の側面側で表示画面の反対側に向けて延びた部分を有し、当該部分と第二壁部との間で支持部材を支持した。
【図面の簡単な説明】
【０００７】
【図１】図１は、実施形態にかかるテレビジョン受像機の一例の正面図である。
【図２】図２は、実施形態にかかるテレビジョン受像機の一例の側面図である。
【図３】図３は、実施形態にかかるテレビジョン受像機の一例の背面図である。
【図４】図４は、実施形態にかかるテレビジョン受像機の一例の第二部材が外された状態が示された背面図である。
【図５】図５は、実施形態にかかるテレビジョン受像機の一例の第二部材が外された状態が示された斜視図である。
【図６】図６は、実施形態にかかるテレビジョン受像機の一例の第一部材、表示装置、および支持部材の分解斜視図である。
【図７】図７は、実施形態にかかるテレビジョン受像機の一例の支持部材の斜視図である。
【図８】図８は、実施形態にかかるテレビジョン受像機の一例の別の支持部材の斜視図である。
【図９】図９は、実施形態にかかるテレビジョン受像機の一例のさらに別の支持部材の斜視図である。
【図１０】図１０は、実施形態にかかるテレビジョン受像機の一例の第一部材の一部および支持部材の斜視図である。
【図１１】図１１は、実施形態にかかるテレビジョン受像機の一例の第一部材の一部の斜視図である。
【図１２】図１２は、図３のXII-XII断面図である。
【図１３】図１３は、実施形態の変形例にかかるテレビジョン受像機の一例の支持部材の斜視図である。
【発明を実施するための形態】
【０００８】
各図では、便宜上、方向（Ｘ方向、Ｙ方向、Ｚ方向）が示されている。Ｘ方向は、表示画面６ａに対する正面視での長手方向、Ｙ方向は、表示画面６ａに対する正面視での短手方向、Ｚ方向は表示画面６ａに対する正面視での前後方向（奥行方向、筐体２の厚さ方向）である。Ｘ方向、Ｙ方向、およびＺ方向は、相互に直交している。
【０００９】
また、以下の実施形態では、電子機器がテレビジョン受像機として構成された場合が例示されるが、本実施形態にかかる電子機器は、これらには限定されない。本実施形態にかかる電子機器は、例えば、パーソナルコンピュータや、スマートフォン、スマートブック、携帯電話機、ＰＤＡ（personal digital assistant）、映像表示装置、テレビ電話機等の種々の電子機器として構成することができる。
【００１０】
＜実施形態＞
本実施形態にかかる電子機器の一例であるテレビジョン受像機１は、図１〜３に示されるように、支持部（支部、台、スタンド）１１と、筐体２と、を備える。支持部１１は、机や、棚、台等の載置部（図示されず）上に載置され、筐体２を支持する。支持部１１は、筐体２を固定的に支持してもよいし、移動可能（回動可能、スライド可能）に支持してもよい。筐体２の支持部１１に対する移動形態としては、例えばチルトや、スイベル、ピボット等がある。
【００１１】
図１〜３に示されるように、本実施形態では、一例として、筐体２は、正面視（および背面視）では矩形状（本実施形態では一例として長方形状）に構成されている。筐体２は、前後方向に薄い扁平な直方体状に構成されている。筐体２は、前面（正面、面、第一面、第一面部）２ａとこの反対側の後面（背面、面、第二面、第二面部）２ｂと、を有する。前面２ａと後面２ｂとは略並行している。筐体２は、正面視（および背面視）では、四つの端部（辺部、縁部）２ｃ〜２ｆと、四つの角部（尖部、曲部、端部）２ｇ〜２ｊと、を有する。端部２ｃ，２ｅは、長辺部の一例である。端部２ｄ，２ｆは、短辺部の一例である。
【００１２】
また、筐体２は、前面２ａを有する壁部（第一壁部、第一部分、プレート、フレーム、前壁部、表壁部、天壁部）２ｋと、後面２ｂを有する壁部（第二壁部、第二部分、プレート、後壁部、裏壁部、底壁部）２ｍと、を有する。壁部２ｋは、矩形の枠状（本実施形態では一例として長方形の枠状）であり、また、壁部２ｍは、矩形状（本実施形態では一例として長方形状）である。また、筐体２は、壁部２ｋと壁部２ｍとの間に亘った側面（面、周面、第三面）２ｐを有する四つの壁部（第三壁部、第三部分、プレート、側壁部、端壁部、立壁部、亘部）２ｎを有する。そして、壁部２ｋには、一例としては矩形状の開口部２ｒが設けられている。筐体２は、例えば、合成樹脂材料や金属材料等で構成されることができる。
【００１３】
また、図２に示されるように、筐体２は、複数の部品（分割体、部材）が組み合わせられて構成されることができる。一例としては、筐体２は、少なくとも壁部２ｋを含む第一部材（第一部分、前側部材、カバー、ベゼル、フレーム）２Ｆｒと、少なくとも壁部２ｍを含む第二部材（第二部分、後側部材、ベース、ボトム、ケース）２Ｒｒとを有する。また、壁部２ｎは、第一部材２Ｆｒおよび第二部材２Ｒｒのうち少なくともいずれか一方（本実施形態では、一例として、第一部材２Ｆｒおよび第二部材２Ｒｒの双方）に含まれることができる。
【００１４】
そして、図１，４〜６に示されるように、筐体２内には、表示装置（表示部、ディスプレイ、パネル）６が収容されている。表示装置６の、前面２ａ側に位置した表示画面６ａは、開口部２ｒを介して筐体２の前方（外方）に露出しており、使用者は、前方側から開口部２ｒを介して表示画面６ａを視認することができる。表示装置６は、正面視では矩形状（本実施形態では一例として長方形状）に構成されている。また、表示装置６は、前後方向に薄い扁平な直方体状に構成されている。表示装置６は、例えば、液晶ディスプレイ（ＬＣＤ，liquid crystal display）や有機ＥＬディスプレイ（ＯＥＬＤ，organic electro-luminescent display）等である。なお、表示装置６の前面側には、表示画面６ａを覆った薄板状またはシート状の透明なタッチパネル（入力パネル、入力シート、入力装置、図示されず）が設けられてもよい。
【００１５】
また、図４に示されるように、本実施形態では、一例として、筐体２内の、表示装置６の後側（裏側、背後側、壁部２ｍ側、表示画面６ａとは反対側）には、基板（制御基板、メイン基板、回路基板）１０が収容されている。基板１０は、表示装置６の面（裏面）６ｂと並行して設けられている。また、基板１０は、壁部２ｋ，２ｍ，２ｎ等と離間した状態で、すなわち、壁部２ｋ，２ｍ，２ｎ等との間に空間が形成された状態で、設けられている。また、基板１０は、例えばねじ等の結合具（図示されず）によって、表示装置６に固定されている。なお、基板１０は、カバー１４で覆われている。
【００１６】
基板１０には、コネクタ１２の他、ＣＰＵ（central processing unit）等の複数の部品（電子部品、素子、図示されず）が実装されている。電子部品には、発熱体が含まれる。発熱量の大きな電子部品（発熱体）には、冷却機構（受熱部、伝熱部、放熱部、ファン等、図示されず）を設けることができる。基板１０および電子部品によって、制御回路（図示されず）の少なくとも一部が構成されている。制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）等）、音声信号処理回路等を、含むことができる。制御回路は、表示装置６の表示画面６ａでの映像（動画や静止画等）の出力や、スピーカ（図示されず）での音声の出力、ＬＥＤ（light emitting diode、図示されず）での発光等を制御する。表示装置６や、スピーカ、ＬＥＤ等は、出力部の一例である。
【００１７】
また、本実施形態では、一例として、筐体２の第一部材２Ｆｒおよび第二部材２Ｒｒは、表示装置６に支持（固定）される。第一部材２Ｆｒおよび第二部材２Ｒｒは、少なくとも部分的には、支持部材７Ａ〜７Ｃを介して表示装置６に固定される。支持部材７Ａ〜７Ｃは、例えば、金属材料等によって構成されることができる。なお、第一部材２Ｆｒおよび第二部材２Ｒｒのうち少なくとも一方は、部分的には、支持部材７Ａ〜７Ｃを介さずに表示装置６に固定されてもよい。
【００１８】
図４〜６に示されるように、本実施形態では、一例として、複数の支持部材７Ａ〜７Ｃが、第一部材２Ｆｒの裏側（後側）に固定される。具体的には、本実施形態では、一例として、端部２ｃに沿って支持部材７Ａが５個、端部２ｄに沿って支持部材７Ｃが３個、端部２ｆに沿って支持部材７Ｂが３個、それぞれ固定される。
【００１９】
図７〜９に示されるように、本実施形態では、一例として、支持部材７Ａ〜７Ｃは、いずれも、壁部７ａと壁部７ｂとを有する。壁部７ａおよび壁部７ｂは、Ｌ字状に接続されている。すなわち、支持部材７Ａ〜７Ｃは、Ｌ字状の断面を有している。
【００２０】
図１０等に示されるように、本実施形態では、一例として、壁部７ａは、第一部材２Ｆｒの壁部（第一壁部）２ｎ１（２ｎ）の筐体２内側に沿って位置される。また、壁部７ｂは、壁部７ａの後側の端部７ｃに接続され、図４に示されるように、表示装置６の面（後面、背面、裏面、表示画面６ａの反対側の面）６ｂに沿って位置される。支持部材７Ａ〜７Ｃは、板状部材を屈曲して形成することができる。その場合、端部７ｃは、壁部７ａと壁部７ｂとの屈曲部分である。そして、壁部７ａは、第一部材２Ｆｒに固定される。したがって、図１２に示されるように、表示装置６は、第一部材２Ｆｒの壁部２ｋと第一部材２Ｆｒに固定された支持部材７Ａ〜７Ｃの壁部７ｂとに挟まれる。すなわち、表示装置６の周縁部は、壁部２ｋと、第一部材２Ｆｒの壁部２ｎおよび支持部材７Ａ〜７Ｃの壁部７ａと、支持部材７Ａ〜７Ｃの壁部７ｂとによって、外側から囲まれる。なお、支持部材７Ａ〜７Ｃの壁部７ｂの構成はそれぞれ異なるものの、表示装置６の挟みならびに表示装置６の周縁部の囲いに関する支持部材７Ａ〜７Ｃの壁部７ａおよび壁部７ｂの機能は同様である。
【００２１】
また、図７〜１０等に示されるように、本実施形態では、一例として、支持部材７Ａ〜７Ｃに、スリット（切欠、開口、開口部）７ｄが設けられている。このスリット７ｄに筐体２に設けられた支持部８の一部（本実施形態では、一例として、壁部８ｂ）が挿入されることにより、支持部材７Ａ〜７Ｃが支持部８に固定される。具体的に、本実施形態では、スリット７ｄは、壁部７ａの高さ方向（筐体２および表示装置６の厚さ方向）の中央部で、幅方向（表示装置６の側面６ｃの長手方向）の一方の縁から、当該幅方向に沿って、幅方向の中央部まで延びた切欠として、構成されている。
【００２２】
そして、図１０，１１に示されるように、本実施形態では、一例として、第一部材２Ｆｒに、支持部材７Ａ〜７Ｃを支持する支持部８が設けられている。支持部８は、突出部８ａを有する。図１２にも示されるように、突出部８ａは、壁部８ｂと壁部８ｃとを有する。壁部８ｂは、第一部材２Ｆｒの第二部材２Ｒｒ側（後側、後面側、背後側、背面側、裏側、裏面側）の端部２ｓから、表示装置６の側面６ｃ側（筐体２内側）へ向けて突出している。壁部８ｂは、表示装置６の周縁に沿って（壁部２ｎの長手方向に沿って）延びている。また、壁部８ｃは、壁部８ｂから、第二部材２Ｒｒの壁部（第二壁部）２ｎ２と隙間をあけて離間した位置で、壁部２ｎ２に沿って、表示画面６ａの反対側（面６ｂ側）に向けて突出している。また、壁部８ｃも、表示装置６の周縁に沿って（壁部２ｎの長手方向に沿って）延びている。すなわち、全体として、突出部８ａは、第一部材２Ｆｒの壁部２ｎ１から、筐体２内側にＬ字状に突出している。壁部８ｃは、壁部２ｎ２の側面６ｃ側で表示画面６ａの反対側に向けて延びた部分の一例である。
【００２３】
また、図１０〜１２に示されるように、本実施形態では、一例として、支持部８は、突出部８ａから表示画面６ａ側に離間した位置に、突出部８ｄを有している。突出部８ｄは、本実施形態では、一例として、壁部２ｋの後面２ｔ（裏面、背面）に、表示画面６ａの反対側（後側、後面側、背後側、背面側、裏側、裏面側）へ向けて突出している。また、突出部８ｄは、第一部材２Ｆｒの壁部２ｎ１に沿って延びている。なお、突出部８ｄは、壁部２ｎ１に設けられることができる。この場合、突出部８ｄは、例えば、突出部８ａと同様に、壁部２ｎ１から離間して表示画面６ａの反対側に向けて突出したＬ字状（フック状）に形成することができる。ただし、壁部２ｋの後面２ｔに設けた方が、突出部８ｄをより簡素な構成として得ることができるとともに、壁部２ｎ１に作用した筐体２内側への外力を、支持部材７Ａ〜７Ｃならびに突出部８ｄを介して壁部２ｋへ伝達することができる分、剛性がより高くなりやすい。
【００２４】
そして、図１０〜１２に示されるように、本実施形態では、一例として、支持部８の突出部８ａ，８ｄに、支持部材７Ａ〜７Ｃが固定される。具体的には、例えば、作業者は、図１０に示されるように、支持部材７Ａ〜７Ｃのスリット７ｄに壁部８ｂを挿入しつつ、支持部材７Ａ〜７Ｃのスリット７ｄと離間した端部（壁部７ａの先端部、壁部７ａの端部７ｃと反対側の端部）７ｇを突出部８ｄと第一部材２Ｆｒの壁部２ｎ１との間に挿入することで、支持部材７Ａ〜７Ｃを支持部８と係わらせる。これにより、支持部材７Ａ〜７Ｃがそれぞれの支持部８に固定される。このような構成では、第二部材２Ｒｒが取り付けられる前に（すなわち、支持部材７Ａ〜７Ｃが第一部材２Ｆｒの支持部８に仮保持された状態で）、支持部材７Ａ〜７Ｃに筐体２外側へ倒れる方向の外力が作用した場合、支持部材７Ａ〜７Ｃを、主として、第一部材２Ｆｒの壁部２ｎ１と突出部８ｄとが支える。また、第二部材２Ｒｒが取り付けられる前に、支持部材７Ａ〜７Ｃに筐体２内側へ倒れる方向の外力が作用した場合、支持部材７Ａ〜７Ｃを、主として、第一部材２Ｆｒの壁部２ｎ１と突出部８ａの壁部８ｃとが支える。また、第二部材２Ｒｒが取り付けられた後では、図１２に示されるように、第二部材２Ｒｒの壁部２ｎ２と突出部８ａの壁部８ｃとの間に、支持部材７Ａ〜７Ｃの壁部７ａが挟まれる。よって、第二部材２Ｒｒの壁部２ｎ２に筐体２内側へ向かう外力が作用した場合に、その外力を壁部２ｎ２、壁部７ａ、および壁部８ｃで受けることができる。すなわち、本実施形態にかかる構成によれば、壁部８ｃを有する分、第二部材２Ｒｒの壁部２ｎ２に筐体２内側へ向けて作用する外力に対する剛性あるいは強度がより高くなりやすい。なお、支持部材７Ａ〜７Ｃの支持部８への取り付けは、第一部材２Ｆｒと表示装置６とをアセンブリ状態での位置関係に配置した後で行われる。本実施形態では、突出部８ａは、支持部の一例であり、突出部８ｄは、第二支持部の一例である。
【００２５】
また、本実施形態では、一例として、上下方向に沿って延びた壁部２ｎ１に取り付けられる支持部材７Ｂ，７Ｃは、上側から下側へスライドされて支持部８に取り付けられる（差し込まれる）。このような構成により、支持部材７Ｂ，７Ｃは、第一部材２Ｆｒをアセンブリされた状態と同様の姿勢に起立させた状態では、支持部８に上から引っ掛かった状態となる。よって、本実施形態によれば、一例としては、アセンブリ作業時等において、支持部材７Ｂ，７Ｃを、第一部材２Ｆｒに取り付けた場合に、重力や振動等によって支持部材７Ｂ，７Ｃが支持部８から抜け出るのを抑制することができる。
【００２６】
また、本実施形態では、一例として、左右方向に沿って延びた壁部２ｎ１に取り付けられる複数の支持部材７Ａは、全て、背面視で右側から左側へスライドされて支持部８に取り付けられる（差し込まれる）。取り付け方向が異なると、支持部材７Ａの部品の形状が異なることになる。この点、本実施形態によれば、一例としては、支持部材７Ａの製造コストを減らすことができる。また、本実施形態によれば、一例としては、作業のミスを減らしたり、作業効率を高めたりしやすい。なお、複数の支持部材７Ａは、全て、背面視で左側から右側にスライドされて支持部８に取り付けられてもよい。
【００２７】
また、図１０，１１に示されるように、本実施形態では、一例として、支持部８は、突出部８ａと突出部８ｄとの間に亘る突出部８ｅを有する。突出部８ｅは、第一部材２Ｆｒの壁部２ｎ１から筐体２内側（側面６ｃ側）に向けて突出している。また、突出部８ｅは、突出部８ａおよび突出部８ｄの長手方向に交叉する方向（本実施形態では、一例として、表示画面６ａと交叉する方向、前後方向）に沿って延びている。このような構成により、一例としては、支持部８の剛性がより高まる。また、本実施形態では、一例として、突出部８ｅは、支持部材７Ａ〜７Ｃを支持部８にスライドさせる方向（差し込み方向）の先方側に設けられている。よって、一例としては、突出部８ｅを、支持部材７Ａ〜７Ｃを取り付ける際のストッパ（突当部）として用いることができる。突出部８ｅは、亘部の一例である。
【００２８】
また、図１０に示されるように、本実施形態では、一例として、第二部材２Ｒｒに、第一部材２Ｆｒ側に向けて突出する突出部２ｕが設けられうる。この突出部２ｕは、支持部材７Ａ〜７Ｃに対して、スライドさせる方向（差し込み方向）の手前側（後方側）に近接して位置される。このような構成により、一例としては、突出部２ｕによって、支持部材７Ａ〜７Ｃが支持部８から抜ける（離れる）のを抑制することができる。突出部２ｕは、第二係部の一例である。
【００２９】
また、図８，９に示されるように、本実施形態では、支持部材７Ｂ，７Ｃには、結合具１３を固定する固定部７ｅが設けられている。固定部７ｅは、例えば、雌ねじ部（雌ねじ孔）である。この固定部７ｅには、第二部材２Ｒｒの壁部２ｍに設けられた開口部（例えば、貫通孔や切欠等、図示されず）を後面２ｂ側から通された結合具１３が固定される。すなわち、支持部材７Ｂ，７Ｃは、表示装置６に第二部材２Ｒｒを固定するブラケットとしても機能している。このような構成により、一例としては、表示装置６に結合具１３の固定部を設けずに済むため、表示装置６の製造の手間を減らすことができる。また、一例としては、表示装置６の汎用性が高まりやすい。
【００３０】
ただし、本実施形態では、一例として、三つの支持部材７Ｂ，７Ｃのうち、最も上側に位置する支持部材７Ｂ，７Ｃには、結合具１３は固定されない。すなわち、本実施形態では、一例として、表示装置６の面６ｂ側で結合具１３によって第二部材２Ｒｒと結合された支持部材７Ｂ，７Ｃ（本実施形態では、一例として、図４の上から二番面および三番目の支持部材７Ｂ，７Ｃ）より筐体２の角部２ｇ，２ｈに近い側に、結合具１３によっては第二部材２Ｒｒと結合されない支持部材７Ｂ，７Ｃ（本実施形態では、一例として、図４の最も上側の支持部材７Ｂ，７Ｃ）が設けられている。筐体２の角部２ｇ，２ｈでは、第一部材２Ｆｒが表示装置６から離間しやすい。また、支持部材７Ｂ，７Ｃの結合具１３を介しての表示装置６との固定位置（すなわち、支持部８の位置）から角部２ｇ，２ｈまでの長さが長いほど、離間しやすい。一方、第二部材２Ｒｒは、壁部２ｍを有する分、第一部材２Ｆｒより剛性が高く、第一部材２Ｆｒほどには表示装置６からは離間しやすくない。よって、このような構成によれば、一例としては、第一部材２Ｆｒおよび第二部材２Ｒｒが所要の剛性を確保されながら支持部材７Ｂ，７Ｃを介して表示装置６と固定されやすい構成を、より部品点数の少ない構成として得ることができる。また、本実施形態では、一例として、結合具１３が固定されない箇所にも、固定部７ｅが設けられた支持部材７Ｂ，７Ｃ（本実施形態では、一例として、図４の最も上側の支持部材７Ｂ，７Ｃ）が用いられている。これにより、一例としては、部品の共用化を促進して製造コストが低減されやすくなるとともに、一例としては、製造の手間が減りやすくなる。
【００３１】
以上、説明したように、本実施形態にかかる電子機器としてのテレビジョン受像機１では、支持部材７Ａ〜７Ｃを支持した支持部８は、第一部材２Ｆｒの第二部材２Ｒｒ側の端部２ｓに設けられるとともに、壁部８ｃは、第二壁部２ｎ２の側面６ｃ側で表示画面６ａの反対側に向けて延び、第二壁部２ｎ２との間で支持部材７Ａ〜７Ｃを支持した。よって、一例としては、第一部材２Ｆｒと第二部材２Ｒｒとの境界部分の第二部材２Ｒｒ側で、第二壁部２ｎ２と壁部８ｃとの間に壁部７ａが挟まれた構成が得られるため、支持部材７Ａ〜７Ｃ、ひいては筐体２の剛性がより高くなるという効果が得られる。また、支持部８（の突出部８ａ）が、第一部材２Ｆｒの第二部材２Ｒｒ側の端部２ｓに設けられたため、一例としては、ヒケが目立ちにくくなるという効果が得られる。
【００３２】
また、本実施形態では、支持部８は、支持部としての突出部８ａと、この突出部８ａより表示画面６ａに近い側に離間して位置された第二支持部としての突出部８ｄと、を有した。よって、一例としては、比較的簡素な構成によって支持部材７Ａ〜７Ｃが倒れるのを抑制することができる。
【００３３】
また、本実施形態では、支持部としての突出部８ａ（壁部８ｂ）と第二支持部としての突出部８ｄとの間に亘った亘部としての突出部８ｅが設けられた。よって、一例としては、支持部８の剛性が高まりやすい。
【００３４】
また、本実施形態では、支持部材７Ｂ，７Ｃは、側面６ｃの長手方向に沿った方向の下側にスライドされて支持部８に取り付けられた。よって、一例としては、支持部材７Ｂ，７Ｃが保持された（仮保持された）第一部材２Ｆｒをアセンブリする姿勢に立てた場合に、支持部材７Ｂ，７Ｃが支持部８から抜けるのが抑制されやすい。
【００３５】
また、本実施形態では、支持部材７Ａは、側面６ｃの長手方向に沿った方向の左側および右側のうち同じ側にスライドされて支持部８に取り付けられた。よって、一例としては、部品の共用化が促進されやすく製造コストが減りやすい。また、一例としては、支持部材７Ａの支持部８への取付作業を行いやすい。
【００３６】
また、本実施形態では、第二部材２Ｒｒは、支持部材７Ａ〜７Ｃに対して側面６ｃの長手方向に沿った方向の他方側で支持部材７Ａ〜７Ｃと係わる第二係部としての突出部２ｕを備えた。よって、一例としては、支持部材７Ａ〜７Ｃが支持部８から抜けるのが抑制されやすい。
【００３７】
以上、本発明の実施形態について説明したが、上記実施形態は一例に過ぎない。本発明は上記実施形態には限定されず、種々の変形が可能である。例えば、図１３に示されるように、支持部材７Ａ〜７Ｃが支持部８から抜け出すのを抑制する係部８ｆが、第一部材２Ｆｒ（筐体２）に一例としては凹部として設けられ、支持部材７Ａ〜７Ｃの例えば壁部７ａに、これに対応した係部７ｆが一例としては凸部（突出部）として設けられてもよい。係部８ｆと係部７ｆとは、弾性変形を伴った所謂スナップフィット機構を構成することができる。このような構成によっても、支持部材７Ａ〜７Ｃが支持部８から抜けるのが抑制されやすい。なお、支持部材７Ａ〜７Ｃに凹部が設けられ、支持部８に凸部が設けられてもよい。また、上記実施形態や変形例の技術的特徴は、適宜に組み合わせて実施することができる。また、各構成要素のスペック（構造や、種類、方向、形状、大きさ、長さ、幅、厚さ、高さ、数、配置、位置、材質等）は、適宜に変更して実施することができる。
【符号の説明】
【００３８】
１…テレビジョン受像機（電子機器）、２Ｆｒ…第一部材、２Ｒｒ…第二部材、６…表示装置、２ｓ…端部、２ｕ…突出部（第二係部）、６ａ…表示画面、６ｃ…側面、７Ａ〜７Ｃ…支持部材、８…支持部、８ａ…突出部（支持部）、８ｃ…壁部（部分）、８ｄ…突出部（第二支持部）、８ｅ…突出部（亘部）、８ｆ…係部。
【図１】
2013046178.tif 000003
【図２】
2013046178.tif 000004
【図３】
2013046178.tif 000005
【図４】
2013046178.tif 000006
【図５】
2013046178.tif 000007
【図６】
2013046178.tif 000008
【図７】
2013046178.tif 000009
【図８】
2013046178.tif 000010
【図９】
2013046178.tif 000011
【図１０】
2013046178.tif 000012
【図１１】
2013046178.tif 000013
【図１２】
2013046178.tif 000014
【図１３】
2013046178.tif 000015